(57)【特許請求の範囲】
【請求項１】
天板に開設したバーナ用開口と該バーナ用開口に挿通するバーナとの間の隙間を閉塞する環状のバーナリングと、天板上にバーナ用開口を囲うようにして載置される、放射状に複数の五徳爪を有する五徳とを備えるガスコンロであって、バーナリングに五徳を周方向に位置決めする位置決め部が形成されるものにおいて、
バーナリングの上面に、五徳爪の周方向配置ピッチ分だけ周方向に連続する隆起部が１つ、または、五徳爪の周方向配置ピッチの整数倍の周方向間隔を存して複数形成され、隆起部の周方向両側の段差面に周方向に隣接する２つの五徳爪の下部側面が当接し、隆起部を前記位置決め部として五徳が周方向に位置決めされることを特徴とするガスコンロ。
【請求項２】
前記隆起部は２個形成されていることを特徴とする請求項１記載のガスコンロ。
【請求項３】
前記隆起部に対し窪む前記バーナリングの一般部上面は、径方向外方に向かう下り勾配を付けた傾斜面に形成されることを特徴とする請求項１又は２記載のガスコンロ。
【発明の詳細な説明】
【技術分野】
【０００１】
本発明は、天板に開設したバーナ用開口と該バーナ用開口に挿通するバーナとの間の隙間を閉塞する環状のバーナリングと、天板上にバーナ用開口を囲うようにして載置される、放射状に複数の五徳爪を有する五徳とを備えるガスコンロに関する。
【背景技術】
【０００２】
従来、この種のガスコンロとして、バーナリングの上面に、五徳爪の周方向配置ピッチに等しい周方向間隔を存して複数の係止凹部を形成し、各係止凹部に各五徳爪の下部を挿入係止して、五徳を周方向に位置決めするようにしたものは知られている(例えば、特許文献１参照)。
【０００３】
これによれば、五徳が周方向に位置ずれすることを防止できる。然し、このものでは、係止凹部に煮こぼれ汁が侵入しやすく、五徳を取外しても係止凹部に侵入した煮こぼれ汁は容易には除去できず、清掃が面倒になる。
【特許文献１】特開２００３−２６９７３１号公報
【発明の開示】
【発明が解決しようとする課題】
【０００４】
本発明は、以上の点に鑑み、五徳を周方向に位置決めできると共に清掃性にも優れた使い勝手の良いガスコンロを提供することをその課題としている。
【課題を解決するための手段】
【０００５】
上記課題を解決するために、本発明は、天板に開設したバーナ用開口と該バーナ用開口に挿通するバーナとの間の隙間を閉塞する環状のバーナリングと、天板上にバーナ用開口を囲うようにして載置される、放射状に複数の五徳爪を有する五徳とを備えるガスコンロであって、バーナリングに五徳を周方向に位置決めする位置決め部が形成されるものにおいて、バーナリングの上面に、五徳爪の周方向配置ピッチ分だけ周方向に連続する隆起部が１つ、または、五徳爪の周方向配置ピッチの整数倍の周方向間隔を存して複数形成され、隆起部の周方向両側の段差面に周方向に隣接する２つの五徳爪の下部側面が当接し、隆起部を前記位置決め部として五徳が周方向に位置決めされることを特徴とする。
【０００６】
本発明によれば、バーナリングの隆起部を周方向に隣接する２つの五徳爪の間に挟み込むようにして五徳をセットすることにより、五徳がバーナリングに対し回り止めされて周方向に位置決めされる。そして、位置決め部が隆起部で構成されるため、位置決め部に煮こぼれ汁が侵入して溜まることはない。また、隆起部を複数形成する場合、隆起部間は窪みになるが、隆起部間の間隔は五徳爪の周方向配置ピッチの整数倍であって広いため、隆起部間に煮こぼれ汁が落下しても容易に拭き取ることができる。従って、清掃性が向上し、使い勝手が良くなる。
【０００７】
尚、バーナリングに形成する隆起部が１個であると、この隆起部を支点にして五徳がガタ付く可能性がある。そのため、隆起部を複数形成して、隆起部を支点にした五徳の動きの自由度を無くすことが望まれる。ここで、隆起部の形成個数を３個以上にすると、五徳が正規の位相(各隆起部を周方向に隣接する各２個の五徳爪間に挟み込む位相)で載置されていない誤セット状態において、各隆起部に各１個の五徳爪が載って、五徳が３箇所以上で安定に支持されてしまい、誤セット状態に気付かないまま放置される可能性がある。
【０００８】
これに対し、隆起部の形成個数を２個にすれば、誤セット状態で各隆起部に各１個の五徳爪が載っても、五徳は２箇所で支持されるだけになる。そのため、五徳は不安定になって傾き、これにより誤セット状態であることを明瞭に判別でき、五徳が誤セット状態に放置されることを確実に防止できる。
【０００９】
また、隆起部に対し窪むバーナリングの一般部上面は、径方向外方に向かう下り勾配を付けた傾斜面に形成されることが望ましい。これによれば、バーナリング上に煮こぼれ汁が落下しても、煮こぼれ汁は傾斜面に沿って天板上に速やかに流下する。そのため、バーナリングに煮こぼれ汁がこびり付くことを有効に防止できる。
【発明を実施するための最良の形態】
【００１０】
図１、図２を参照して、１はコンロの天板を示している。天板１はガラス板または金属製の厚板で形成されている。天板１には、バーナ用開口２が開設されており、このバーナ用開口２にバーナ３が周囲に隙間を存して挿入されている。そして、天板１上に、放射状に複数(本実施形態では６個)の五徳爪４１を有する五徳４をバーナ用開口２を囲うにして載置している。
【００１１】
尚、バーナ３は、混合管部３１と、混合管部３１に一体の上方にのびる２重筒形状のバーナボディ３２と、バーナボディ３２上に所定の位相で載置される環状のバーナキャップ３３とで構成され、バーナボディ３２がバーナ用開口２に挿通されている。バーナキャップ３３の下面外周部には多数の歯形が形成されており、これら歯形間の隙間でバーナボディ３２からの混合気(燃料ガスと一次空気との混合ガス)が噴出する炎孔３４が構成される。ここで、炎孔３４に形成される火炎が五徳爪４１に触れると燃焼不良を生ずるため、バーナキャップ３３の各五徳爪４１に合致する周方向部分に設けられる炎孔３４を開口面積の小さな小炎孔３４ａに形成し、火炎が五徳爪４１に触れないようにしている。
【００１２】
また、バーナキャップ３３上には煮こぼれカバー３５が脚片３５ａを介して載置されており、煮こぼれ汁がバーナキャップ３３の内周空間を通してコンロ本体内に落下することを煮こぼれカバー３５で防止できるようにしている。更に、バーナ３は、バーナボディ３２の外周の周囲一側に配置した点火電極３６と、点火電極３６から周方向に約半周離れた位置に配置した熱電対(図示せず)とを備えている。
【００１３】
天板１には、バーナ用開口２とバーナ３との間の隙間から煮こぼれ汁がコンロ本体内に落下することを防止するため、この隙間を閉塞する環状のバーナリング５が装着されている。バーナリング５は、その下面の外周寄りの部分に装着した環状パッキン５１を介して天板１上に着座しており、バーナリング５の内周にバーナボディ３２が嵌合している。また、バーナリング５のバーナ用開口２内に張り出す部分の下面には、周方向の間隔を存して複数の突起部５２(図２には１個の突起のみが示されている)が垂設されている。そして、バーナ用開口２の口縁部に装着した保護リング６の周方向複数箇所に突起部５２に対応するフック部６１を形成し、各突起部５２を各フック部６１に係合させることでバーナリング５を抜け止めしている。また、バーナリング５には、点火電極用の挿通孔５３と図示しない熱電対用の挿通孔とが形成されており、前者の挿通孔５３に点火電極３６を挿通すると共に後者の挿通孔に熱電対を挿通することでバーナリング５が回り止めされている。
【００１４】
ここで、上記の如く小炎孔３４ａを形成しても、五徳４を五徳爪４１が小炎孔３４ａの形成部分に合致するように周方向に位置決めしないと、火炎が五徳爪４１に触れて燃焼不良を生ずる。そこで、本実施形態では、バーナリング５に五徳４を周方向に位置決めするための位置決め部を形成している。以下、この点について詳述する。
【００１５】
バーナリング５の上面には、五徳爪４１の周方向配置ピッチ分だけ周方向に連続する平面視扇状の隆起部５４が、五徳爪４１の周方向配置ピッチの２倍の周方向間隔を存して２個形成されている。また、五徳４は、バーナリング５の外周近傍で天板１に着座する環状の五徳枠４２を備えており、各五徳爪４１を調理容器の支持部となる上辺部４１ａから下方にのびる脚部４１ｂにおいて五徳枠４２に溶接等により固定して五徳４を構成している。各脚部４１ｂには、五徳枠４２より径方向内方にのびてバーナリング５に乗り上げる係合部４１ｃが形成されている。そして、各隆起部５４の周方向両側の段差面５４ａ，５４ａに、周方向に隣接する各２個の五徳爪４１，４１の下部側面、即ち、係合部４１ｃ，４１ｃの側面が当接可能となるようにしている。
【００１６】
これによれば、バーナリング５の各隆起部５４を周方向に隣接する各２個の五徳爪４１，４１の係合部４１ｃ，４１ｃ間に挟み込むようにして五徳４をセットすることにより、五徳４がバーナリング５に対し回り止めされる。即ち、隆起部５４を位置決め部として五徳４が周方向に位置決めされ、各五徳爪４１が各小炎孔３４ａの形成部分に合致して、火炎が五徳爪４１に触れることが防止される。
【００１７】
また、本実施形態では、位置決め部が隆起部５４で構成されるため、位置決め部に煮こぼれ汁が侵入して溜まることはない。また、２個の隆起部５４，５４間は窪みになるが、隆起部５４，５４間の間隔は五徳爪４１の周方向配置ピッチの２倍であって広いため、隆起部５４，５４間に煮こぼれ汁が落下しても容易に拭き取ることができる。従って、清掃性が向上し、使い勝手が良くなる。
【００１８】
尚、バーナリング５に形成する隆起部５４の数を１個にしても、五徳５４を周方向に位置決めできる。但し、この場合には、隆起部５４を支点にして五徳４がガタ付く可能性がある。これに対し、隆起部５４を複数形成すれば、隆起部５４を支点にした五徳４の動きの自由度が制限されて、五徳４がガタ付くことはない。
【００１９】
また、五徳４が、各隆起部５４を周方向に隣接する各２個の五徳爪４１，４１間に挟み込む正規位相で載置されていない誤セット状態では、各隆起部５４に各１個の五徳爪４１が載る。そして、隆起部５４の形成個数が３個以上であると、誤セット状態においても五徳４が３箇所以上で安定に支持されることになり、誤セット状態に気付かないまま放置される可能性がある。これに対し、隆起部５４の形成個数を本実施形態のように２個にすれば、誤セット状態で各隆起部５４に各１個の五徳爪４１が載っても、五徳４は２箇所で支持されるだけになる。そのため、五徳４は不安定になって傾き、これにより誤セット状態であることを明瞭に判別でき、五徳４が誤セット状態に放置されることを確実に防止できる。
【００２０】
また、２個の隆起部５４，５４を結ぶ中心線に対し、各隆起部５４の周方向両側の段差面５４ａ，５４ａとこれに当接する２個の五徳爪４１，４１の係合部４１ｃ，４１ｃとが径方向内方に向けて周方向内側に傾いているため、一方の隆起部５４側への五徳４の横ずれが当該隆起部５４の段差面５４ａに五徳爪４１の係合部４１ｃが係合することで阻止され、同様に他方の隆起部５４側への五徳４の横ずれも阻止される。但し、五徳４のセット作業を容易にするには、隆起部５４の段差面５４ａと五徳爪４１の係合部４１ｃの側面との間に若干の隙間が空くようにすることが必要になり、この隙間によって五徳４のある程度の横ずれが許容されてしまう。そこで、本実施形態では、五徳枠４２をバーナリング５の外周近傍で天板１に着座させ、五徳４の横ずれをバーナリング５の外周への五徳枠４２の当接で微少量に制限できるようにしている。
【００２１】
ところで、上記第１実施形態では、隆起部５４に対し窪むバーナリング５の一般部上面を平坦面に形成しているが、図３に示す第２実施形態の如く、バーナリング５の一般部上面を径方向外方に向う下り勾配を付けた傾斜面５５に形成しても良い。これによれば、バーナリング５上に煮こぼれ汁が落下しても、煮こぼれ汁は傾斜面５５に沿って天板１上に速やかに流下し、バーナリング５への煮こぼれ汁のこびり付きが防止される。尚、第２実施形態では、隆起部５４の上面にも径方向外方に向かう下り勾配を付け、隆起部５４の上面での煮こぼれ汁のこびり付きも防止できるようにしている。
【００２２】
また、上記第１実施形態では、各隆起部５４をバーナリング５の内周から外周に亘って延在する平面視扇状に形成しているが、図４に示す第３実施形態の如く、バーナリング５の上面の外周寄りの部分に、五徳爪４１の周方向配置ピッチ分だけ周方向に連続する平面視円弧状の隆起部５４を形成しても良い。この場合にも、隆起部５４の周方向両側の段差面５４ａ，５４ａに周方向に隣接する２つの五徳爪４１，４１の係合部４１ｃ，４１ｃの側面を当接させることで、上記第１実施形態と同様の効果が得られる。
【００２３】
以上、本発明の実施形態について図面を参照して説明したが、本発明はこれに限らない。例えば、上記実施形態では、６個の五徳爪４１が周方向に等ピッチ（６０°）で配置された五徳４を用い、バーナリング５に五徳爪４１の周方向配置ピッチの２倍の１２０°の周方向間隔を存して２個の隆起部５４，５４を形成しているが、複数の五徳爪が周方向に不等ピッチで配置される五徳を使用する場合にも本発明を適用できる。このものでバーナリングに複数、例えば、２個の隆起部を、両隆起部間の周方向一側と他側の各間隔の中間に各１個の五徳爪が位置するように形成する場合は、当該１個の五徳爪とその周方向一方に隣接する五徳爪との間の周方向配置ピッチと、当該１個の五徳爪とその周方向他方に隣接する五徳爪との間の周方向配置ピッチとの合計分の周方向間隔を存して両隆起部を形成する。このような周方向間隔も本発明の「五徳爪の周方向配置ピッチの整数倍の周方向間隔」に含まれる。
【図面の簡単な説明】
【００２４】
【図１】本発明の第１実施形態のガスコンロの要部の斜視図。
【図２】図１のＩＩ−ＩＩ線で切断した断面図。
【図３】本発明の第２実施形態のガスコンロの要部の断面図。
【図４】本発明の第３実施形態のガスコンロの要部の斜視図。
【符号の説明】
【００２５】
１…天板、２…バーナ用開口、３…バーナ、４…五徳、４１…五徳爪、４１ｃ…係合部(五徳爪の下部)、５…バーナリング、５４…隆起部、５４ａ…段差面、５５…傾斜面。
【図１】
0004448100.tif 000002
【図２】
0004448100.tif 000003
【図３】
0004448100.tif 000004
【図４】
0004448100.tif 000005